(57)【要約】      （修正有）【課題】紫外線暴露による便蓋の安定性の低下を抑制することができるトイレ装置を提供する。【解決手段】着座面を有する便座２１０と、尿素樹脂を主成分とする材料により形成され、閉じた状態で着座面を覆い着座面と対面する裏面３１３を有する便蓋３１０と、便蓋３１０が閉じた状態において便器８１０のボウル部８１１であって光触媒膜８１３が形成されたボウル部８１１に紫外線を照射する光源装置５００と、ポリプロピレンを主成分とする材料により形成され、便蓋３１０が閉じた状態において着座面と対面する裏面３１３の全体に設けられたカバー部材３３０とを備える。【選択図】図１
2014150904.tif 000002
【特許請求の範囲】
【請求項１】
着座面を有する便座と、
尿素樹脂を主成分とする材料により形成され、閉じた状態で前記着座面を覆い前記着座面と対面する裏面を有する便蓋と、
前記便蓋が閉じた状態において便器のボウル部であって光触媒膜が形成されたボウル部に紫外線を照射する光源装置と、
ポリプロピレンを主成分とする材料により形成され、前記便蓋が閉じた状態において前記着座面と対面する前記裏面の全体に設けられたカバー部材と、
を備えたことを特徴とするトイレ装置。
【請求項２】
前記カバー部材は、１箇所において前記便蓋に固定されたことを特徴とする請求項１記載のトイレ装置。
【請求項３】
前記光源装置は、前記カバー部材に固定され、
前記１箇所の固定位置は、前記便蓋を左右に等分する中心線上に存在することを特徴とする請求項２記載のトイレ装置。
【請求項４】
前記便蓋は、前記中心線上に設けられ前記裏面から前記カバー部材へ向かって突出した軸を有し、
前記カバー部材は、前記軸を挟設し前記軸の前記左右の方向の移動を抑制する挟設部を有することを特徴とする請求項３記載のトイレ装置。
【請求項５】
前記便蓋は、前記裏面の周囲部に設けられ前記カバー部材を受ける受け部と、前記受け部の先端部に設けられ前記便蓋の中央部へ向かって突出した凸部と、を有し、
前記カバー部材は、前記凸部が前記便蓋の前後方向に挿入される凹部を有することを特徴とする請求項２〜４のいずれか１つに記載のトイレ装置。
【発明の詳細な説明】
【技術分野】
【０００１】
本発明の態様は、一般的に、トイレ装置に関する。
【背景技術】
【０００２】
便器の清潔状態を維持するために、光触媒層が便器のボウル面に形成された便器が提案されている。例えば、便鉢内に紫外線を照射するためのＬＥＤ等の紫外線光源が便蓋の下面側に設けられ、光触媒層が便鉢の内面に設けられた紫外線光源付き設備がある（特許文献１）。
【０００３】
ここで、紫外線光源から照射される紫外線により、樹脂部品の安定性が低下するという問題がある。樹脂部品の安定性の低下としては、例えば、樹脂部品の変色や、引張り強度、伸びおよび引裂強度の低下などが挙げられる。
【０００４】
トイレ装置の外観を形成する便蓋の材料として、質感や重量感を有する尿素樹脂が用いられる場合がある。一般的に、尿素樹脂については、紫外線暴露による安定性の低下が顕著であることが知られている。そのため、便蓋が尿素樹脂から形成された場合には、便蓋の紫外線暴露対策が必要となる。
【先行技術文献】
【特許文献】
【０００５】
【特許文献１】特開２００６−２７１５１６号公報
【発明の概要】
【発明が解決しようとする課題】
【０００６】
本発明は、かかる課題の認識に基づいてなされたものであり、紫外線暴露による便蓋の安定性の低下を抑制することができるトイレ装置を提供することを目的とする。
【課題を解決するための手段】
【０００７】
第１の発明は、着座面を有する便座と、尿素樹脂を主成分とする材料により形成され、閉じた状態で前記着座面を覆い前記着座面と対面する裏面を有する便蓋と、前記便蓋が閉じた状態において便器のボウル部であって光触媒膜が形成されたボウル部に紫外線を照射する光源装置と、ポリプロピレンを主成分とする材料により形成され、前記便蓋が閉じた状態において前記着座面と対面する前記裏面の全体に設けられたカバー部材と、を備えたことを特徴とするトイレ装置である。
【０００８】
このトイレ装置によれば、便蓋は、尿素樹脂を主成分とする材料により形成されている。カバー部材は、ポリプロピレンを主成分とする材料により形成されている。そのため、カバー部材は、尿素樹脂の紫外線に対する耐性よりも高い耐性を有する。そして、カバー部材は、便蓋が閉じた状態において着座面と対面する便蓋の裏面であって紫外線暴露のおそれのある便蓋の裏面の全体に設けられている。そのため、紫外線暴露による便蓋の安定性の低下を抑制することができる。これにより、便蓋の外観や便蓋の強度が低下することを比較的長い間にわたって抑制できるトイレ装置を提供することができる。
【０００９】
第２の発明は、第１の発明において、前記カバー部材は、１箇所において前記便蓋に固定されたことを特徴とするトイレ装置である。
【００１０】
このトイレ装置によれば、便蓋を形成する尿素樹脂は、カバー部材の１箇所の固定位置を基点として収縮する。そのため、収縮を考慮したカバー部材の形成を容易に行うことができる。また、カバー部材が１箇所において便蓋に固定されているため、尿素樹脂の収縮が阻害されることを抑制することができる。例えば、カバー部材が２箇所以上において便蓋に固定されている場合における尿素樹脂の亀裂などを抑制することができる。
【００１１】
第３の発明は、第２の発明において、前記光源装置は、前記カバー部材に固定され、前記１箇所の固定位置は、前記便蓋を左右に等分する中心線上に存在することを特徴とするトイレ装置である。
【００１２】
このトイレ装置によれば、便器のボウル部と光源装置との間における位置関係の影響を前後方向に略限定することができる。すなわち、光源装置は、カバー部材に固定されているため、便蓋が収縮すると、光源装置の設置位置が変化する。すると、ボウル部と光源装置との間における相対位置が変化する。これに対して、このトイレ装置によれば、便蓋に対するカバー部材の１箇所の固定位置は、便蓋を左右に等分する中心線上に存在する。そのため、ボウル部と光源装置との間における位置関係の影響を前後方向に略限定することができる。これにより、ボウル部は左右対称の構造を有するため、ボウル部に対する紫外線の強度のバランスが変化することを抑制することができる。
【００１３】
第４の発明は、第３の発明において、前記便蓋は、前記中心線上に設けられ前記裏面から前記カバー部材へ向かって突出した軸を有し、前記カバー部材は、前記軸を挟設し前記軸の前記左右の方向の移動を抑制する挟設部を有することを特徴とするトイレ装置である。
【００１４】
このトイレ装置によれば、便蓋を形成する尿素樹脂がカバー部材の１箇所の固定位置を基点として収縮しても、軸は、左右方向への移動を抑制される。そのため、便蓋とカバー部材との間の左右方向の隙間を均等化することができる。これにより、便蓋のカバー部材との間に生ずる隙間の見栄えの悪化を抑制することができる。また、挟設部が軸の前後方向の移動を規制しない場合には、カバー部材は、便蓋の収縮に追従することができ、カバー部材自身が変形あるいは破損することを抑制することができる。
【００１５】
第５の発明は、第２〜第４のいずれか１つの発明において、前記便蓋は、前記裏面の周囲部に設けられ前記カバー部材を受ける受け部と、前記受け部の先端部に設けられ前記便蓋の中央部へ向かって突出した凸部と、を有し、前記カバー部材は、前記凸部が前記便蓋の前後方向に挿入される凹部を有することを特徴とするトイレ装置である。
【００１６】
このトイレ装置によれば、便蓋を形成する尿素樹脂がカバー部材の１箇所の固定位置を基点として収縮すると、凸部は、凹部の中において前後方向に移動することができる。そのため、カバー部材は、便蓋の収縮に追従することができる。また、便蓋は、カバー部材を受ける受け部を有する。受け部は、便蓋の裏面の周囲部に設けられている。そのため、便蓋とカバー部材との間に生ずる隙間の見栄えの悪化を抑制することができる。また、便蓋とカバー部材との間に生ずる隙間から水などが進入することを抑制することができる。
【発明の効果】
【００１７】
本発明の態様によれば、紫外線暴露による便蓋の安定性の低下を抑制することができるトイレ装置が提供される。
【図面の簡単な説明】
【００１８】
【図１】本発明の実施の形態にかかるトイレ装置を表す模式図である。
【図２】本実施形態のカバー部材の設置形態の一例を例示する模試図である。
【図３】尿素樹脂の収縮を説明するためのグラフ図である。
【図４】本実施形態の便蓋を表す模式的平面図である。
【図５】本実施形態のカバー部材を表す模式的斜視図である。
【図６】本実施形態のカバー部材が便蓋に固定された状態を表す模式的平面図である。
【図７】本実施形態の便蓋およびカバー部材を表す模式的断面図である。
【図８】本実施形態の便蓋およびカバー部材を表す模式的断面図である。
【図９】本実施形態の便蓋およびカバー部材を表す模式的断面図である。
【図１０】本実施形態の便蓋およびカバー部材を表す模式的断面図である。
【図１１】本実施形態の便蓋およびカバー部材を表す模式的断面図である。
【図１２】本実施形態の便蓋およびカバー部材を表す模式的断面図である。
【図１３】本実施形態の便蓋およびカバー部材を表す模式的断面図である。
【図１４】本実施形態のカバー部材が便蓋に固定された状態を表す模式的斜視図である。
【図１５】本実施形態の回転止め部を表す模式図である。
【図１６】光触媒層の一例を例示する模式的断面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式図である。  
なお、図１（ａ）は、本実施形態にかかるトイレ装置を斜め上方から眺めた模式的斜視図である。図１（ｂ）は、図１（ａ）に表した切断面Ａ−Ａにおける模式的断面図である。但し、図１（ａ）は、便蓋が開いた状態のトイレ装置を表している。図１（ｂ）は、便蓋が閉じた状態のトイレ装置を表している。
【００２０】
本実施形態にかかるトイレ装置１０は、洋式腰掛便器（以下説明の便宜上、単に「便器」と称する）８１０と、その上に設けられた衛生洗浄装置１１０と、を備える。衛生洗浄装置１１０は、ケーシング４１０と、便座２１０と、便蓋３１０と、カバー部材３３０と、光源装置５００と、を有する。便座２１０と便蓋３１０とは、ケーシング４１０に対して開閉自在にそれぞれ軸支されている。
【００２１】
但し、ケーシング４１０は、必ずしも設けられていなくともよい。例えば、便座２１０と便蓋３１０とは、便器８１０に対して開閉自在にそれぞれ軸支されていてもよい。あるいは、本実施形態のトイレ装置１０は、便器８１０を必ずしも備えていなくともよい。
【００２２】
便器８１０は、ボウル部８１１を有する。便蓋３１０が閉じている状態では、ボウル部８１１は、便蓋３１０により覆われる。ボウル部８１１の表面には、光触媒層（「光触媒膜」ともいう）８１３が形成されている。  
本願明細書において、「光触媒」とは、光を照射すると、酸化作用および還元作用の少なくともいずれかが促進されるものをいう。その結果、雑菌や細菌や臭気物質などの有機物を分解する分解作用と、表面が水に濡れやすい親水作用と、菌の繁殖を抑制するあるいは菌の活動を停止させる抗菌作用と、を得ることができる。光触媒層８１３が形成されたボウル部８１１は、汚物の付着を抑制したり、汚物を分解したり、付着した水垢を容易に除去できるため、便器８１０の清掃負担を軽減し、きれいな便器８１０を維持することができる。
【００２３】
具体的には、光触媒層８１３が形成されたボウル部８１１の表面に紫外線を照射すると、その紫外線および空気中の水や酸素などにより、ボウル部８１１の表面に活性酸素が発生する。その活性酸素は、ボウル部８１１の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、ボウル部８１１の表面の抗菌や防汚や防臭を行うことができる。
【００２４】
また、光触媒層８１３が形成されたボウル部８１１の表面に紫外線を照射すると、その表面には周囲の水との結合による親水基（−ＯＨ）が表出する。これにより、ボウル部８１１の表面は、水になじむようになり、濡れやすくなる（親水作用）。すなわち、ボウル部８１１の表面には水滴ができず、水が表面に濡れ広がるようになる。そして、予めボウル部８１１の表面を親水化することにより、汚れは、ボウル部８１１の表面に濡れ広がった水の表面に付着することになる。さらに、ボウル部８１１の洗浄に用いる洗浄水がボウル部８１１の表面とその表面に付着した汚れとの間に入り込み、汚れを浮かして流す。そのため、光触媒の親水作用により、ボウル部８１１の表面の防汚や防曇が可能となる。
【００２５】
これらによれば、紫外線の照射と、光触媒の分解作用、親水作用および抗菌作用と、の相乗効果により効果的にボウル部８１１の抗菌や防汚や防臭を行うことができる。このような「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）、酸化ジルコニウム（ＺｒＯｘ）などを挙げることができる。これらのうちでも、特に、酸化チタンは、光触媒として活性であり、また、安定性や安全性などの点でも優れる。
【００２６】
本願明細書において、「紫外線」とは、４００ナノメートル（ｎｍ）以下の波長に極大を有する光をいう。具体的には、紫外線とは、３００ｎｍ以上、３６０ｎｍ以下の波長に極大を有する光をいう。なお、光触媒層８１３の詳細については、後に詳述する。
【００２７】
光源装置５００は、便蓋３１０とカバー部材３３０との間に設けられ、便蓋３１０が閉じた状態で便座２１０の着座面２１１と対面する便蓋３１０の面（裏面）３１３に取り付けられている。あるいは、光源装置５００は、便蓋３１０とカバー部材３３０との間に設けられ、カバー部材３３０に固定されている。
【００２８】
便蓋３１０は、尿素樹脂（ユリア樹脂）を主成分とする材料により形成されている。図１（ｂ）に表したように、カバー部材３３０は、便蓋３１０が閉じた状態において着座面２１１と対面する便蓋３１０の裏面３１３の略全体に設けられている。言い換えれば、カバー部材３３０は、便蓋３１０が閉じた状態においてケーシング４１０と対面する便蓋３１０の裏面３１３には設けられていない。カバー部材３３０の紫外線に対する耐性は、尿素樹脂の紫外線に対する耐性よりも高い。カバー部材３３０は、例えば、ポリプロピレンを主成分とする材料により形成されている。あるいは、カバー部材３３０は、アルミニウムなどの金属により形成されている。
【００２９】
本願明細書において「耐性」とは、環境条件の変化（本実施形態では紫外線暴露）に耐えうる性質をいう。また、本願明細書において「耐性が高い」とは、物性の劣化や物性の低下が少ないことをいう。
【００３０】
図１（ｂ）に表したように、光源装置５００は、冷陰極管５１０を有し、冷陰極管５１０から紫外線を照射することができる。図１（ａ）に表したように、カバー部材３３０は、開口部３３１を有する。光源装置５００は、便蓋３１０が閉じた状態において、カバー部材３３０の開口部３３１を通して便器８１０のボウル部８１１の表面に対して紫外線を照射することができる。
【００３１】
本実施形態によれば、尿素樹脂の紫外線に対する耐性よりも高い耐性を有するカバー部材３３０が紫外線暴露のおそれのある便蓋３１０の裏面３１３の略全体に設けられている。具体的には、紫外線暴露による尿素樹脂の安定性の低下の度合いよりも低い度合いを有するカバー部材３３０が紫外線暴露のおそれのある便蓋３１０の裏面３１３の略全体に設けられている。そのため、紫外線暴露による便蓋３１０の安定性の低下を抑制することができる。これにより、便蓋３１０の外観や便蓋３１０の強度が低下することを比較的長い間にわたって抑制できるトイレ装置を提供することができる。
【００３２】
図２は、本実施形態のカバー部材の設置形態の一例を例示する模試図である。  
図３は、尿素樹脂の収縮を説明するためのグラフ図である。  
図２（ａ）は、カバー部材が便蓋に固定された状態を表す模式的平面図である。図２（ｂ）は、図２（ａ）に表した切断面Ｂ−Ｂにおける模式的断面図である。  
図３に表したグラフ図の横軸は、尿素樹脂を成型してから経過した時間を表す。図３に表したグラフ図の縦軸は、金型成型された尿素樹脂の製品寸法を表す。
【００３３】
一般的に、樹脂の製品は、金型成型後から時間が経過すると冷却されるため収縮する。そのため、図３に表したように、金型成型された尿素樹脂の製品の寸法は、金型成型後から約２４時間が経過するまで減少する。このときに寸法が減少する度合いは、成型条件や製品の保管条件などにより変化する。
【００３４】
続いて、図３に表したように、尿素樹脂の寸法は、金型成型後から約２４時間が経過するまでの間における勾配よりも緩やかな勾配で約３０００時間が経過するまで減少する。このようにして、金型成型された尿素樹脂の製品寸法は、設計狙いの寸法と略同一となる。このときに寸法が減少する度合いは、尿素樹脂の製品の成型後の使用環境（例えば環境温度や時間など）により変化する。このように、尿素樹脂は、比較的長い時間にわたって収縮が進行するという性質を有する。
【００３５】
これに対して本実施形態のカバー部材３３０は、１箇所において便蓋３１０に固定されている。例えば、図２（ａ）および図２（ｂ）に表したように、カバー部材３３０は、１つのねじ４５３により便蓋３１０に固定されている。この場合には、図２（ｂ）に表したように、インサートナット４５１が便蓋３１０に埋設されている。ねじ４５３は、カバー部材３３０が便蓋３１０に保持された状態でインサートナット４５１に螺号されることによりカバー部材３３０を便蓋３１０に締結する。これによれば、ねじ４５３の螺号により尿素樹脂を主成分とする便蓋３１０が破損することを抑制することができる。図２（ｂ）に表したように、ねじ４５３の頭を覆い隠すキャップ４５５が設けられていてもよい。
【００３６】
なお、カバー部材３３０の固定方法は、ねじ４５３だけに限定されるわけではない。例えば、カバー部材３３０は、例えばリベットやスナップフィットなどにより１箇所において便蓋３１０に固定されていてもよい。
【００３７】
これによれば、便蓋３１０を形成する尿素樹脂は、カバー部材３３０の１箇所の固定位置を基点として収縮する。そのため、収縮を考慮したカバー部材３３０の形成を容易に行うことができる。また、カバー部材３３０が１箇所において便蓋３１０に固定されているため、尿素樹脂の収縮が阻害されることを抑制することができる。例えば、カバー部材３３０が２箇所以上において便蓋３１０に固定されている場合における尿素樹脂の亀裂などを抑制することができる。
【００３８】
また、便蓋３１０に対するカバー部材３３０の固定位置は、便蓋３１０を左右に等分する中心線Ｃ１上に存在する。
【００３９】
なお、本願明細書においては、便座２１０に座った使用者からみて上方を「上方」とし、便座２１０に座った使用者からみて下方を「下方」とする。また、便座２１０に座った使用者からみて前方を「前方」とし、便座２１０に座った使用者からみて後方を「後方」とする。あるいは、便器８１０の方向を向いて便器８１０の前に立った使用者からみて手前側を「前方」とし、便器８１０の方向を向いて便器８１０の前に立った使用者からみて奥側を「後方」とする。また、便器８１０の方向を向いて便器８１０の前に立った使用者からみて右側を「右側方」とし、便器８１０の方向を向いて便器８１０の前に立った使用者からみて左側を「左側方」とする。
【００４０】
これによれば、ボウル部８１１と光源装置５００との間における位置関係の影響を前後方向に略限定することができる。すなわち、光源装置５００は、便蓋３１０あるいはカバー部材３３０に固定されているため、便蓋３１０が収縮すると、光源装置５００の設置位置が変化する。すると、ボウル部８１１と光源装置５００との間における相対位置が変化する。これに対して、本実施形態では、便蓋３１０に対するカバー部材３３０の１箇所の固定位置は、便蓋３１０を左右に等分する中心線Ｃ１上に存在する。そのため、ボウル部８１１と光源装置５００との間における位置関係の影響を前後方向に略限定することができる。これにより、ボウル部８１１は左右対称の構造を有するため、ボウル部８１１に対する紫外線の強度のバランスが変化することを抑制することができる。
【００４１】
図４は、本実施形態の便蓋を表す模式的平面図である。  
図４は、便蓋３１０を裏面３１３の側からみたときの模式的平面図である。
【００４２】
図４に表したように、便蓋３１０の裏面３１３の周囲部には、カバー部材３３０を受ける受け部３１５が設けられている。受け部３１５は、ケーシング４１０に対して軸支された便蓋３１０の基端部あるいは基端辺を除き、便蓋３１０の裏面３１３の周囲部の略全周にわたって設けられている（図２参照）。
【００４３】
受け部３１５の先端部には、複数の凸部が設けられている。凸部は、受け部３１５の先端部から便蓋３１０の中央部へ向かって突出している。図４に表した便蓋３１０では、第１の凸部３１７ａ、第２の凸部３１７ｂ、第３の凸部３１７ｃ、第４の凸部３１７ｄ、第５の凸部３１７ｅ、第６の凸部３１７ｆ、第７の凸部３１７ｇ、第８の凸部３１７ｈ、第９の凸部３１７ｉ、第１０の凸部３１７ｊ（図６参照）、第１１の凸部３１７ｋ（図６参照）、第１２の凸部３１７ｌ（図６参照）および第１３の凸部３１７ｍ（図６参照）が設けられている。但し、凸部の設置数は、これにだけに限定されるわけではない。
【００４４】
図４に表したように、第１の凸部３１７ａ〜第９の凸部３１７ｉは、互いに離隔して設けられている。そのため、便蓋３１０の裏面３１３の周囲部には、受け部３１５が存在する一方で凸部が存在しない部分がある。
【００４５】
図５は、本実施形態のカバー部材を表す模式的斜視図である。  
図５（ａ）は、本実施形態のカバー部材の全体を表す模式的斜視図であって、便蓋３１０の裏面３１３に対面する面の側からみたときの模式的斜視図である。図５（ｂ）は、図５（ａ）に表した領域Ａ１における模試的拡大図である。
【００４６】
図５（ａ）に表したように、カバー部材３３０の面であって便蓋３１０の裏面３１３に対面する面３３２の周囲部には、便蓋３１０の凸部に挿入される複数の凹部が設けられている。図５（ａ）に表したカバー部材３３０では、第１の凹部３３３ａ、第２の凹部３３３ｂ、第３の凹部３３３ｃ、第４の凹部３３３ｄ、第５の凹部３３３ｅ、第６の凹部３３３ｆ、第７の凹部３３３ｇ、第８の凹部３３３ｈ、第９の凹部３３３ｉ、第１０の凹部３３３ｊ、第１１の凹部３３３ｌおよび第１２の凹部３３３ｍが設けられている。但し、凹部の設置数は、これにだけに限定されるわけではない。
【００４７】
図５（ｂ）に表したように、第１の凹部３３３ａは、便蓋３１０が閉じた状態における前方に開口する空洞部３３４ａを有する。カバー部材３３０が便蓋３１０に保持されるときには、便蓋３１０の第１の凸部３１７ａが第１の凹部３３３ａの空洞部３３４ａに挿入される。  
図５（ｂ）に表したように、第１の凹部３３３ａは、突起部３３５ａを有する。突起部３３５ａは、空洞部３３４ａに挿入された第１の凸部３１７ａと接触可能であり、第１の凸部３１７ａの挿入位置に応じて第１の凸部３１７ａを締め付けるあるいは押し付けることができる。これについては、後に詳述する。
【００４８】
第２の凹部３３３ｂ〜第１２の凹部３３３ｍの構造は、第１の凹部３３３ａの構造と同様である。第２の凹部３３３ｂ〜第１２の凹部３３３ｍは、互いに離隔して設けられている。
【００４９】
なお、本実施形態では、便蓋３１０の第２の凸部３１７ｂが、第２の凹部３３３ｂに挿入される。便蓋３１０の第３の凸部３１７ｃが、第３の凹部３３３ｃに挿入される。便蓋３１０の第４の凸部３１７ｄが、第４の凹部３３３ｄに挿入される。便蓋３１０の第５の凸部３１７ｅが、第５の凹部３３３ｅに挿入される。便蓋３１０の第６の凸部３１７ｆが、第６の凹部３３３ｆに挿入される。便蓋３１０の第７の凸部３１７ｇが、第７の凹部３３３ｇに挿入される。便蓋３１０の第８の凸部３１７ｈが、第８の凹部３３３ｈに挿入される。便蓋３１０の第９の凸部３１７ｉが、第９の凹部３３３ｉに挿入される。
【００５０】
カバー部材３３０の略中央部には、開口部３３１が設けられている。開口部３３１の周囲には、第１の光源装置固定部３３９ａ、第２の光源装置固定部３３９ｂ、第３の光源装置固定部３３９ｃ、第４の光源装置固定部３３９ｄ、第５の光源装置固定部３３９ｅおよび第６の光源装置固定部３３９ｆが設けられている。光源装置５００は、カバー部材３３０に固定される場合には、第１の光源装置固定部３３９ａ、第２の光源装置固定部３３９ｂ、第３の光源装置固定部３３９ｃ、第４の光源装置固定部３３９ｄ、第５の光源装置固定部３３９ｅおよび第６の光源装置固定部３３９ｆにおいてねじで固定される。
【００５１】
図６は、本実施形態のカバー部材が便蓋に固定された状態を表す模式的平面図である。  図７〜図１３は、本実施形態の便蓋およびカバー部材を表す模式的断面図である。  
図６〜図１３では、説明の便宜上、光源装置５００を省略している。
【００５２】
図７（ａ）は、図６に表した切断面Ｃ−Ｃにおける模式的断面図である。図７（ｂ）は、図７（ａ）に表した領域Ａ２における模式的拡大図である。
【００５３】
図７（ａ）および図７（ｂ）に表したように、カバー部材３３０が便蓋３１０に固定された状態では、便蓋３１０の第１の凸部３１７ａは、カバー部材３３０の第１の凹部３３３ａの空洞部３３４ａに挿入されている。図７（ｂ）に表したように、第１の凸部３１７ａは、くさび形状を有する。そのため、第１の凸部３１７ａは、第１の凹部３３３ａの空洞部３３４ａの奥の方（図７（ｂ）では右方向）へ挿入されるにつれて締め付けられるあるいは押し付けられる。
【００５４】
図５（ｂ）に関して前述したように、第１の凹部３３３ａの空洞部３３４ａは、便蓋３１０が閉じた状態における前方に開口している。そのため、便蓋３１０を形成する尿素樹脂がカバー部材３３０の１箇所の固定位置を基点として収縮すると、第１の凸部３１７ａは、第１の凹部３３３ａの空洞部３３４ａの中において前後方向に移動することができる。具体的には、カバー部材３３０の面３３２（図５参照）の第１の端部３３２ａと、便蓋３１０の裏面３１３（図４参照）の第１の端部３１３ａと、の間の距離Ｄ１は、尿素樹脂がカバー部材３３０の１箇所の固定位置を基点として収縮すると相対的に短くなる。一方、距離Ｄ１は、尿素樹脂がカバー部材３３０の１箇所の固定位置を基点として膨張すると相対的に長くなる。つまり、第１の凸部３１７ａの構造および第１の凹部３３３ａの構造により、カバー部材３３０は、便蓋３１０の収縮に追従することができる。
【００５５】
図７（ｂ）に表したように、カバー部材３３０の面３３２は、便蓋３１０の受け部３１５と接触している。言い換えれば、便蓋３１０の受け部３１５は、カバー部材３３０を受けている。そのため、便蓋３１０の裏面３１３の側から便蓋３１０をみると、カバー部材３３０の面３３２の第１の端部３３２ａと、便蓋３１０の裏面３１３の第１の端部３１３ａと、の間の隙間（距離Ｄ１の部分の隙間）には受け部３１５が見える。これにより、便蓋３１０とカバー部材３３０との間に生ずる隙間の見栄えの悪化を抑制することができる。また、便蓋３１０とカバー部材３３０との間に生ずる隙間から水などが進入することを抑制することができる。
【００５６】
図８（ａ）は、図６に表した切断面Ｄ−Ｄにおける模式的断面図である。図８（ｂ）は、図８（ａ）に表した領域Ａ３における模式的拡大図である。
【００５７】
図８（ａ）および図８（ｂ）に表したように、第１の凸部３１７ａとは離隔して設けられた第２の凸部３１７ｂ、および第１の凹部３３３ａとは離隔して設けられた第２の凹部３３３ｂにおいても、カバー部材３３０が便蓋３１０に固定された状態では、便蓋３１０の第２の凸部３１７ｂは、カバー部材３３０の第２の凹部３３３ｂの空洞部３３４ｂに挿入されている。他の保持構造は、図７（ａ）および図７（ｂ）に関して前述した保持構造と同様である。
【００５８】
図９（ａ）は、図６に表した切断面Ｅ−Ｅにおける模式的断面図である。図９（ｂ）は、図９（ａ）に表した領域Ａ４における模式的拡大図である。
【００５９】
図６に表したように、第１の凸部３１７ａと第２の凸部３１７ｂとの間においては、凸部が設けられていない。そのため、図９（ａ）および図９（ｂ）に表したように、第１の凸部３１７ａと第２の凸部３１７ｂとの間においては、便蓋３１０の凸部は、カバー部材３３０の凹部には挿入されていない。
【００６０】
一方、第１の凸部３１７ａと第２の凸部３１７ｂとの間においても、受け部３１５が設けられている。そのため、便蓋３１０の凸部がカバー部材３３０の凹部に挿入されていない箇所であっても、便蓋３１０の受け部３１５は、カバー部材３３０を受けている。これにより、便蓋３１０のカバー部材３３０との間に生ずる隙間の見栄えの悪化を抑制することができる。また、便蓋３１０のカバー部材３３０との間に生ずる隙間から水などが進入することを抑制することができる。
【００６１】
図１０（ａ）は、図６に表した切断面Ｆ−Ｆにおける模式的断面図である。図１０（ｂ）は、図１０（ａ）に表した領域Ａ５における模式的拡大図である。
【００６２】
図１０（ａ）および図１０（ｂ）に表したように、カバー部材３３０が便蓋３１０に固定された状態では、便蓋３１０の第４の凸部３１７ｄは、カバー部材３３０の第４の凹部３３３ｄに挿入され、便蓋３１０の第５の凸部３１７ｅは、カバー部材３３０の第５の凹部３３３ｅに挿入されている。便蓋３１０の第５の凸部３１７ｅにおける保持構造は、便蓋３１０の第４の凸部３１７ｄにおける保持構造と同様であるため、以下、便蓋３１０の第４の凸部３１７ｄにおける保持構造について図１０（ｂ）を参照しつつ説明する。
【００６３】
便蓋３１０の第４の凸部３１７ｄは、カバー部材３３０の第４の凹部３３３ｄの空洞部３３４ｄに挿入されている。第４の凹部３３３ｄの空洞部３３４ｄは、便蓋３１０が閉じた状態における前方および右側方に開口している。そのため、便蓋３１０を形成する尿素樹脂がカバー部材３３０の１箇所の固定位置を基点として収縮すると、第４の凸部３１７ｄは、第４の凹部３３３ｄの空洞部３３４ｄの中において前後方向および左右方向に移動することができる。左右方向の移動について、具体的には、カバー部材３３０の面３３２の第２の端部３３２ｂと、便蓋３１０の裏面３１３の第２の端部３１３ｂと、の間の距離Ｄ２は、尿素樹脂がカバー部材３３０の１箇所の固定位置を基点として収縮すると相対的に短くなる。一方、距離Ｄ２は、尿素樹脂がカバー部材３３０の１箇所の固定位置を基点として膨張すると相対的に長くなる。つまり、第４の凸部３１７ｄの構造および第４の凹部３３３ｄの構造により、カバー部材３３０は、便蓋３１０の収縮に追従することができる。なお、便蓋３１０は、左右対称の構造を有するため、便蓋３１０を形成する尿素樹脂の左右方向の収縮は、略均等である。
【００６４】
カバー部材３３０の面３３２は、便蓋３１０の受け部３１５と接触している。言い換えれば、便蓋３１０の受け部３１５は、カバー部材３３０を受けている。これにより、図７（ａ）および図７（ｂ）に関して前述した効果と同様の効果が得られる。
【００６５】
図１１（ａ）は、図６に表した切断面Ｇ−Ｇにおける模式的断面図である。図１１（ｂ）は、図１１（ａ）に表した領域Ａ６における模式的拡大図である。
【００６６】
図１１（ａ）および図１１（ｂ）に表したように、カバー部材３３０が便蓋３１０に固定された状態では、便蓋３１０の第８の凸部３１７ｈは、カバー部材３３０の第８の凹部３３３ｈに挿入され、便蓋３１０の第９の凸部３１７ｉは、カバー部材３３０の第９の凹部３３３ｉに挿入されている。便蓋３１０の第８の凸部３１７ｈは、カバー部材３３０の第８の凹部３３３ｈの空洞部３３４ｈに挿入されている。便蓋３１０の第８の凸部３１７ｈにおける保持構造は、便蓋３１０の第８の凸部３１７ｈにおける保持構造と同様である。また、他の保持構造は、図１０（ａ）および図１０（ｂ）に関して前述した保持構造と同様である。
【００６７】
図１２（ａ）は、図６に表した切断面Ｈ−Ｈにおける模式的断面図である。図１２（ｂ）は、図１２（ａ）に表した領域Ａ７における模式的拡大図である。
【００６８】
図６に表したように、第５の凸部３１７ｅと第７の凸部３１７ｇとの間においては、凸部が設けられていない。そのため、図１２（ａ）および図１２（ｂ）に表したように、第５の凸部３１７ｅと第７の凸部３１７ｇとの間においては、便蓋３１０の凸部は、カバー部材３３０の凹部には挿入されていない。
【００６９】
一方、第５の凸部３１７ｅと第７の凸部３１７ｇとの間においても、受け部３１５が設けられている。そのため、便蓋３１０の凸部がカバー部材３３０の凹部に挿入されていない箇所であっても、便蓋３１０の受け部３１５は、カバー部材３３０を受けている。これにより、図９（ａ）および図９（ｂ）に関して前述した効果と同様の効果が得られる。
【００７０】
図１３は、図６に表した切断面Ｉ−Ｉにおける模式的断面図である。  
図１３に表したように、カバー部材３３０が便蓋３１０に固定された状態では、便蓋３１０の第１２の凸部３１７ｌは、カバー部材３３０の第１１の凹部３３３ｌの空洞部３３４ｌに挿入されている。
【００７１】
第１１の凹部３３３ｌの空洞部３３４ｌは、便蓋３１０が閉じた状態における前方に開口している。そのため、便蓋３１０を形成する尿素樹脂がカバー部材３３０の１箇所の固定位置を基点として収縮すると、第１２の凸部３１７ｌは、第１１の凹部３３３ｌの空洞部３３４ｌの中において前後方向に移動することができる。これにより、図７（ａ）および図７（ｂ）に関して前述した効果と同様の効果が得られる。
【００７２】
図７〜図１３に関して前述した保持構造により、カバー部材３３０は、便蓋３１０に保持される。そして、図２に関して前述した例えばねじ４５３などにより、カバー部材３３０は、１箇所において便蓋３１０に固定されている。
【００７３】
図１４は、本実施形態のカバー部材が便蓋に固定された状態を表す模式的斜視図である。  
図１５は、本実施形態の回転止め部を表す模式図である。  
図１５（ａ）は、図１４に表した領域Ａ８における模式的拡大図である。図１５（ｂ）は、図１５（ａ）に表した切断面Ｉ−Ｉにおける模式的断面図である。  
図１４では、説明の便宜上、光源装置５００を省略している。
【００７４】
図１４に表したように、便蓋３１０を左右に等分する中心線上Ｃ１に回転止め部３４０が設けられている。  
図１５（ａ）に表したように、回転止め部３４０は、軸３１９と、挟設部３３７と、を有する。図１５（ｂ）に表したように、カバー部材３３０が便蓋３１０に固定された状態において、軸３１９は、便蓋３１０の裏面３１３からカバー部材３３０の面３３２へ向かって突出している。挟設部３３７は、第１の壁部３３７ａと、第２の壁部３３７ｂと、を有する。図１５（ｂ）に表したように、カバー部材３３０が便蓋３１０に固定された状態において、第１の壁部３３７ａおよび第２の壁部３３７ｂは、カバー部材３３０の面３３２から便蓋３１０の裏面３１３へ向かって突出している。
【００７５】
図１４に表した矢印Ａ１１の方向へカバー部材３３０を移動させ便蓋３１０に保持させると、軸３１９は、挟設部３３７に対して相対的に図１５（ａ）に表した矢印Ａ１２の方向へ移動する。すると、軸３１９は、第１の壁部３３７ａと第２の壁部３３７ｂとの間に挟設される。これにより、軸３１９の左右方向の移動は抑制される。一方、図１５（ａ）および図１５（ｂ）に表したように、挟設部３３７は、便蓋３１０が閉じた状態における前後方向に開放されている。そのため、軸３１９の前後方向の移動は抑制されず自由である。
【００７６】
これによれば、便蓋３１０を形成する尿素樹脂がカバー部材３３０の１箇所の固定位置を基点として収縮すると、軸３１９は、第１の壁部３３７ａと第２の壁部３３７ｂとの間において前後方向に移動することができる。そのため、カバー部材３３０は、便蓋３１０の収縮に追従することができ、カバー部材３３０自身が変形あるいは破損することを抑制することができる。
【００７７】
一方、便蓋３１０を形成する尿素樹脂がカバー部材３３０の１箇所の固定位置を基点として収縮しても、軸３１９は、左右方向への移動を抑制される。そのため、便蓋３１０とカバー部材３３０との間の左右方向の隙間（例えば距離Ｄ２（図１０参照）の部分の隙間）を均等化することができる。これにより、便蓋３１０のカバー部材３３０との間に生ずる隙間の見栄えの悪化を抑制することができる。
【００７８】
図１６は、光触媒層の一例を例示する模式的断面図である。  
本実施形態の光触媒層８１３は、バリア層８１３ａと、機能層８１３ｂと、を有する。例えば、光触媒層８１３としては、ＴｉＯ２／ＺｒＯ２系触媒焼成膜が用いられる。例えば、バリア層８１３ａにおけるＴｉＯ２とＺｒＯ２との配合比率は、機能層８１３ｂにおけるＴｉＯ２とＺｒＯ２との配合比率とそれぞれ異なる。但し、図１６に表した光触媒層８１３は、一例である。本実施形態の光触媒層８１３は、これだけに限定されるわけではない。
【００７９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便蓋３１０およびカバー部材３３０などが備える各要素の形状、寸法、材質、配置などやカバー部材３３０および光源装置５００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８０】
１０ トイレ装置、  １１０ 衛生洗浄装置、  ２１０ 便座、  ２１１ 着座面、  ３１０ 便蓋、  ３１３ 裏面、  ３１３ａ 第１の端部、  ３１３ｂ 第２の端部、  ３１５ 受け部、  ３１７ａ 第１の凸部、  ３１７ｂ 第２の凸部、  ３１７ｃ 第３の凸部、  ３１７ｄ 第４の凸部、  ３１７ｅ 第５の凸部、  ３１７ｆ 第６の凸部、  ３１７ｇ 第７の凸部、  ３１７ｈ 第８の凸部、  ３１７ｉ 第９の凸部、  ３１７ｊ 第１０の凸部、  ３１７ｋ 第１１の凸部、  ３１７ｌ 第１２の凸部、  ３１７ｍ 第１３の凸部、  ３１９ 軸、  ３３０ カバー部材、  ３３１ 開口部、  ３３２ 面、  ３３２ａ 第１の端部、  ３３２ｂ 第２の端部、  ３３３ａ 第１の凹部、  ３３３ｂ 第２の凹部、  ３３３ｃ 第３の凹部、  ３３３ｄ 第４の凹部、  ３３３ｅ 第５の凹部、  ３３３ｆ 第６の凹部、  ３３３ｇ 第７の凹部、  ３３３ｈ 第８の凹部、  ３３３ｉ 第９の凹部、  ３３３ｊ 第１０の凹部、  ３３３ｌ 第１１の凹部、  ３３３ｍ 第１２の凹部、  ３３４ａ、３３４ｂ、３３４ｄ、３３４ｈ、３３４ｌ 空洞部、  ３３５ａ 突起部、  ３３７ 挟設部、  ３３７ａ 第１の壁部、  ３３７ｂ 第２の壁部、  ３３９ａ 第１の光源装置固定部、  ３３９ｂ 第２の光源装置固定部、  ３３９ｃ 第３の光源装置固定部、  ３３９ｄ 第４の光源装置固定部、  ３３９ｅ 第５の光源装置固定部、  ３３９ｆ 第６の光源装置固定部、  ３４０ 回転止め部、  ４１０ ケーシング、  ４５１ インサートナット、  ４５３ ねじ、  ４５５ キャップ、  ５００ 光源装置、  ５１０ 冷陰極管、  ８１０ 便器、  ８１１ ボウル部、  ８１３ 光触媒層、  ８１３ａ バリア層、  ８１３ｂ 機能層
【図１】
2014150904.tif 000003
【図２】
2014150904.tif 000004
【図３】
2014150904.tif 000005
【図４】
2014150904.tif 000006
【図５】
2014150904.tif 000007
【図６】
2014150904.tif 000008
【図７】
2014150904.tif 000009
【図８】
2014150904.tif 000010
【図９】
2014150904.tif 000011
【図１０】
2014150904.tif 000012
【図１１】
2014150904.tif 000013
【図１２】
2014150904.tif 000014
【図１３】
2014150904.tif 000015
【図１４】
2014150904.tif 000016
【図１５】
2014150904.tif 000017
【図１６】
2014150904.tif 000018